(57)【要約】      （修正有）【課題】底面の水切りが確実にでき、脚部の腐食、破損または変形が生じにくい形状をした調理食品の運搬容器の提供する。【解決手段】容器１本体の下端部が、補強部材３で覆われた調理食品の運搬容器において、補強部材３が、容器本体の底面の全体を密着して覆う構造とした。容器底を覆う補強部材には、底縁より内側に凸設された細く小さいＵ字状の間欠環状の脚部を設けた。脚部の間欠部は周辺部と同じ高さに形成される。【選択図】図１
0003139540.tif 000002
【実用新案登録請求の範囲】
【請求項１】
蓋を備えた容器本体の下端部が、補強部材で覆われた運搬容器において、前記補強部材が、容器本体の底面の全体を覆う底板部と、この底板部の周囲から連続状に立ち上げられて容器本体の下端部の周面を覆う環状の立ち上げ部と、前記底板部の縁より内側に形成された脚部とで形成され、前記脚部は間欠環状で前記脚部の間欠部の位置が周辺部と同じ高さに形成され、前記立ち上げ部の上端縁が容器本体の下端部の周面に溶接されて形成され、前記容器本体の下端部と補強部材とをほぼ同形状として密着に重ね合わせて、前記脚部内の空洞部を残したことを特徴とする調理食品の運搬容器。
【請求項２】
前記脚部内の空洞部は、細いＵ字状の空隙として残したことを特徴とする請求項１に記載の調理食品の運搬容器。
【請求項３】
前記容器本体の下端部と補強部材との溶接を、補強部材の端縁を容器部の胴部に環状にプラズマ溶接としたことを特徴とする請求項１又は請求項２のいずれかに記載の調理食品の運搬容器。
【請求項４】
前記容器本体と前記蓋との両方に、同じ色を付した部位を備えた
ことを特徴とする請求項１〜請求項３のいずれかに記載の調理食品の運搬容器。
【請求項５】
蓋を備えたアルミニウム製の容器本体の下端部が、補強部材で覆われた調理食品の運搬容器において、前記補強部材が、容器本体の底面の全体を覆う底板部と、この底板部の周囲から連続状に立ち上げられて容器本体の下端部の周面を覆う環状の立ち上げ部と、前記底板部の縁より内側に形成された断面Ｕ字状に突出した間欠環状の脚部とで形成され、前記脚部は断面Ｕ字状の空隙部を有しており、前記脚部の間欠部の位置が周辺部と同じ高さに形成され、前記立ち上げ部の上端縁が容器本体の下端部の周面に溶接されて形成されもので、前記容器本体の下端部と補強部材とをほぼ同形状として密着に重ね合わせて、前記容器本体の取手の取付部と前記蓋の取手の取付部とに同じ色を付したことを特徴とする調理食品の運搬容器。
【考案の詳細な説明】
【技術分野】
【０００１】
本考案は、給食用の調理食品の運搬容器に関する。
【背景技術】
【０００２】
従来この種の容器としては、例えば図４に示されるように、容器本体ａの下端部ｂに、補強用の部材ｃが溶接により取り付けられてなるものがある（登録実用新案第３０４２８０１号公報参照）
【０００３】
この従来品の場合、補強用の部材ｃは、容器本体ａの全体を覆う底板部ｄの周囲から連続して立ち上げられた立ち上げ部ｆ及び脚部ｇからなるもので、脚部ｇは少し外面に膨出して形成されている（図４Ａ）。
脚部ｇの内部には比較的広い空洞部がある（図４Ａ）。
又、脚部ｇと脚部ｇとの間の位置ｅを間欠部として配設し脚部ｇを4箇所で突出させていた（図４Ｂ）。
【０００４】
図４で示されるように、従来品の脚部ｇの内部はかなり広い空洞がある。
また脚部ｇは、底を水平にし直角に立ち上げているためやや角張った形状をしており、その空洞は底から容器の胴に及ぶ範囲にまで設けている（図４Ａ）。
【特許文献１】登録実用新案第３０４２８０１号「調理食品の運搬容器」
【考案の開示】
【考案が解決しようとする課題】
【０００５】
このような構成の従来品の場合は、長期間使用している場合や乱暴に取り扱うと脚部の角張った個所を中心に摩耗により穴があいてそこから補強部材の底面内部に水やごみが溜まることがある。
このような場合は稀有ではあるが、徳管理しないと調理用具として衛生状態を良好に保てないという問題点があった。
摩耗して水が侵入すると腐食が起こり使用できなくなることもある。
【０００６】
又、脚部ｇの空隙に空気があるために、熱い調理食品を運搬すると、空気が膨張して、容器の内部壁面が内側に膨出してしまうという課題もあった。
脚部ｇは、不用意にぶつけて打撃ダメージでデコボコになることもある。
【０００７】
本考案は、このような従来品の問題点を解消しようとするものであり、耐久性及び堅牢性を向上させるものである。
本考案の技術的課題は、運搬容器全体の堅牢化、底部を打撃してもデコボコができにくい２重構造にすること、脚部を堅牢にして空隙を少なくし空気膨張による変形を抑制できる構造にすることである、仮に補強部材の脚部に穴があいても補強部材の底面内部に水やごみが溜まりにくくするようにすることも目的とする。
【課題を解決するための手段】
【０００８】
本考案の調理食品の運搬容器は、蓋を備えた容器で、アルミニウム製の容器本体の下端部が、補強部材で覆われた調理食品の運搬容器において、前記補強部材が、容器本体の底面の全体を覆う底板部と、この底板部の周囲から連続状に立ち上げられて容器本体の下端部の周面を覆う環状の立ち上げ部と、前記底板部の縁よりやや内側に形成された脚部とで形成され、前記脚部は幅を細く低くして間欠環状で前記脚部の間欠部の位置が周辺部と同じ高さに形成され、前記立ち上げ部の上端縁が容器本体の下端部の周面に溶接されて形成されたことを特徴とする（請求項１）。
【０００９】
前記容器本体の下端部と補強部材とをほぼ同形状として密着に重ね合わせ、脚部内空洞部のみに空隙を残している（請求項１）。
密着に重ね合わせた構造が、強度の要請や制作上の要請に叶う新規な構造になっている。
しかも脚部に細いＵ字状の空洞部を残して残余を密着に重ね合わせており、空洞部は製作時にほぼ真空にすること（ゴミや水蒸気が残置しない）も可能である。又。空洞部が狭く小さいので、膨出する程の空気はない構造になる。
前記容器本体の下端部と補強部材との溶接を、補強部材の端縁を容器部の胴部に環状にプラズマ溶接として、気密着にかつ平坦に溶接している（請求項３）。
前記容器本体と前記蓋との両方に、同じ色を付した部位を備えて、相互に合わせやすくしている（請求項４）。
【００１０】
この部位は、容器本体の取手の取付部と、蓋の取手の取付部とかの関連部位なる。
着色は、具体的には焼付着色  鍍金など手段は問わないが、例えば塗料等を任意の個所に塗布することや、着色された金属片をリベット等で適宜箇所に固定することで達成される。
外形が同じで、容量が異なる容器が複数ある場合は、容器の大きさが異なる毎、違う色に着色されるのが良い。
又、同じ容量の容器でも、色が異なれば中身の調理品ごとに色違いを用いることができるなど、色違いの商品ラインナップは実用性がある。
【考案の効果】
【００１１】
本考案は、容器本体の下端部を覆う補強部材が、容器本体の底面の全体を覆う底板部を備えてなり、この底板部は脚部の間の位置が底板部の周辺部と同じ高さに形成されているものである。
従って本考案の場合は、洗浄した後、逆さにして保管すると、底板部に付着している洗浄時の水滴が底板部の中央部から脚部の間の位置を経て流れ易いから、これによれば容器の底の水切りが確実且つ容易にできる、という効果を奏する。
【００１２】
又本考案は、従来技術にくらべ脚部の高さを低くし、幅も極狭にしたため、内部の空隙は小さく、強度が強いので、脚部自体の耐久性が高い。又仮に水が入ってもすぐに排出される程度であり、腐食や摩耗による破損が生じにくくなっている。
しかも、容器本体と補強部材とを重ねて溶接する際、プラズマ溶接で気密着に行うが、脚部の空洞部はほぼ真空となっており、空気膨張はなく、容器本体に熱いスープ等を入れても空気が膨張して容器の底が変形や破損することもない。
これにより、容器の内面底が変形するおそれもなく、細く小さく堅牢である脚部としたので、補強部材の脚部等に穴があいて水やごみが溜まることがなくなり、衛生状態を良好に保てる、という利点がある。
【考案を実施するための最良の形態】
【００１３】
本考案の調理食品の運搬容器（１）は、図１〜図４に示されるように、アルミニウム材で成形された容器本体（１）の下端部（２）を、容器本体（１）と同じアルミニウム材でプレス成形された補強部材（３）で覆った構造とした。
材質は、軽量なアルミニウムが好ましい。
【００１４】
最良の形態は、アルミニウム材製の容器本体（１）の下端部（２）が補強部材（３）で覆われていて、前記補強部材（３）が容器本体（１）の底面の全体を覆う底板部（３１）と、この底板部（３１）の周囲から連続状に立ち上げられて容器本体（１）の下端部（２）の周面を覆う環状の立ち上げ部（３２）と、前記底板部の縁よりやや内側に形成された脚部（３３）とで形成され、前記脚部（３３）は幅を細く低くして間欠環状に設けられ、前記脚部（３３）の間欠部の位置が周辺部と同じ高さに形成され、前記立ち上げ部（３２）の上端縁が容器本体（１）の下端部（２）の周面に環状にプラズマ溶接されている構成である。
脚部（３３）は、前記底板部の縁より内側に形成された断面Ｕ字状に突出した間欠環状で形成され、前記脚部は断面Ｕ字状の細い空隙部を有している。
脚部（３３）は細く低いＵ字状の間欠環状である。
【実施例１】
【００１５】
この考案の調理食品の運搬容器（１）について、添付した図面に示す実施例に基づいて説明する。
図１は本考案の調理食品の運搬容器（１）の全体を示す正面図である。
図２は本考案の調理食品の運搬容器（１）を逆さにした状態で容器本体（１）と補強部材（３）の接合部分を示す断面斜視図及び当該部を拡大した断面図である。
また図３は底板部（３１）を下から視た底面図である。
【００１６】
補強部材（３）は、容器本体（１）の底面の全体を覆う底板部（３１）と、この底板部（３１）の周囲から連続状に立ち上げられて容器本体（１）の下端部２の周面を覆う環状の立ち上げ部（３２）と、前記底板部（３１）の縁よりやや内側に形成された脚部（３３）とで形成されている。
【００１７】
前記脚部（３３）の間の位置＝間欠部（３３ａ）は、周辺部（３１ｂ）と同じ高さに形成されている。
前記立ち上げ部（３２）の上端縁（３２ａ）は、容器本体（１）の下端部（２）の周面に環状にプラズマ溶接されている。
溶接は、気密に平坦に環状になされている。
【００１８】
図２で示す通り補強部材（３）と容器本体（１）はほぼ密着した状態で下端部（２）の周面において溶接されている。
これは補強部材（３）が腐食や破損で万が一に穴があいた場合でも補強部材（３）と容器本体（１）との隙間に水やごみが入り込むのを極力避けるためである。
【００１９】
さらに、脚部（３３）は、略U字状で丸く細く低く、その内部のU字状の空洞部は狭く底面部（３１）の内側に小さく設けている。
脚部（３３）は断面略Ｕ字状の丸型に形成していて細く低くかつ角がないので、破損しにくいという効用がある。
脚部（３３）の成型は、アルミニウム材を底板凹状にプレスすると同時に直径５ミリ程度の環状間欠の半円突起型でプレス形成する。
成型方法は、いかなる工程でもよいが、容器（１）と補強部材（３）とが密着する形状として製作する。
【００２０】
容器（１）と補強部材（３）とが密着する形状〔相似形〕として作製されているので、容器（１）に補強部材（３）を被せて、補強部材（３）の上端縁（３２ａ）を環状にプラズマ溶接してゆく。
容器（１）本体の下端部と補強部材（３）とをほぼ同形状として密着に重ね合わせ、脚部（３３）内の空洞部のみに空隙を残して溶接している。
【００２１】
溶接に当たっては、圧接と同時に溶接熱で、当接部分の間隙や前記空洞部の空気は蒸発し真空状態になり密着する。
製作時は、脚部（３３）内の空洞部の空隙は、ほぼ真空になる。
容器（１）本体の下端部と補強部材（３）との溶接面は、補強部材（３）の端縁を容器部の胴部に環状にプラズマ溶接して平坦に溶接している。
【００２２】
前記容器（１）本体と前記蓋（６）とは、調理食材を入れるので、相応の閉塞性構造を相互に持っており、しっかりと蓋で閉塞できる関係である。
給食用の運搬容器に使用される場合は、調理品ごとに調理品種ごとに大小多数個を使用するので、見た目でも容器とそれに合う蓋を一目瞭然にしておくことが便利である。
前記容器（１）本体と前記蓋（６）とに、同じ色を付した部位を備えて、相互に合わせやすくしている。
図５は、取付部（５）（８）をその部位とした実施例である。
【００２３】
図５で示す通り図中の（５）は、取手（４）の取付部であり、この取付部（５）は取手（４）を回動するように係合する孔を上面視でコ状部分に設け、かつ蓋（６）を開いてその蓋（６）を一時的にバランスで立て掛けて置くことができるように半円形の立ち上がり部を設け、左右に容器胴部に固定するリベット止めした固定片を備えたものである。
容器（１）の取付部（５）は、上面視で断面略ハット形に形成され、容器本体（１）の上部の対称位置にリベットで固定されている。
この取付部（５）は、容器（１）の本体のアルミニウム色とは異なる色にしている。
【００２４】
図中、（６）は蓋であり、（７）はこの蓋（６）の取手、（８）はこの取手（７）の取付部である。
この取付部（８）は、蓋（６）の中央部にリベットで固定され、取手７はこの取付部（８）に起立自在に設けられている。
蓋（６）の取手（７）の取付部（８）は、その蓋（６）に適合する容器（１）の取付部（５）と同色にしている。
前記の各取付部（５）、（８）は、この実施例ではいづれも青色に着色されている。
【００２５】
給食調理品の運搬容器に使用する場合などは、厨房に多数個の容器が並ぶために、蓋（６）と容器（１）との関係がすぐに視認できることが大切である。
なお本考案の実施例１では取付部（５）（８）に着色を施したが、着色部は当該個所に限定されるものではない。
【００２６】
蓋（６）と本体容器（１）の任意の個所が同色で着色されているため、蓋（６）と容器（１）本体との一致が一目でわかるから、蓋（６）を取り間違える、という事態を一掃できる。またポップな色を施せばデザイン性が増すことで商品としての斬新性を発揮し、他の商品との差別化が図れる。
【００２７】
底板部（３１）は、周辺部（３１ｂ）と脚部（３３）の間の位置（３３ａ）が同じ高さに形成されている為、例えば洗浄後に容器（１）を裏返して水きり乾燥させる場合でも、容器本体（１）が傾斜されると、底板部（３１）に付着している洗浄時の水滴が、周辺部（３１ｂ）から脚部（３３）の間の位置（３３ａ）を経て流れ落ちるので、水は容器（１）の裏面には付着することなく流れ落ちる。
【００２８】
このように、本考案の運搬容器は、底板部と補強部材とが密着して重なった状態で溶接されているため脚部を除いて隙間がほとんどない。
強度を要請される容器の下方を堅牢にして、全体を軽量化していることにもなる。
これにより、容器本体に熱いスープ等を入れても空気が膨張して底板部が破損、変形することがない。
【００２９】
また、他の理由で底板部が破損しても隙間がほとんどないので水やごみが底板部と補強部材との間に入り込むことがない。
脚部の形状を半円パイプ状にして角をなくしたため破損しにくいし、堅牢性が増大している。
もとより内面は平滑な面のみでなるので、調理品の投入や取り出しに問題はなく洗浄も容易である。
【産業上の利用可能性】
【００３０】
近年、食の安全に対する消費者の意識が高まるなかで、調理用具の衛生管理向上は必須事項であり、商品選択の重要な要素である。前記の社会的意向を鑑みるに本考案の調理食品の運搬容器は大きな市場性があるものと推察される。
学校給食厨房、社員食堂厨房、に限らず、食品メーカーの調理品容器として広く汎用性がある。
【図面の簡単な説明】
【００３１】
【図１】本考案の調理食品の運搬容器の全体を示す正面図である。
【図２】本考案の調理食品の運搬容器を逆さにした状態で容器本体と補強部材の接合部分を示す断面斜視図及び当該部を拡大した断面図である。
【図３】本考案にかかる調理食品の運搬容器の底板部を下から視た正面図である。
【図４】従来例を示す、Ａは要部拡大断面図、Ｂは逆さにした状態の要部斜視図である。
【図５】本考案にかかる調理食品の運搬容器の蓋を外した状態の斜視図である
【符号の説明】
【００３２】
１      容器本体
２      下端部
３      補強部材
３１    底板部
３１ｂ  周辺部
３２    立ち上げ部
３２ａ  上端縁
３３    脚部
３３ａ  間の位置（間欠部）
４      取手
５      取付部
６      蓋
７      取手
８      取付部
【図１】
0003139540.tif 000003
【図２】
0003139540.tif 000004
【図３】
0003139540.tif 000005
【図４】
0003139540.tif 000006
【図５】
0003139540.tif 000007